(57)【要約】    【課題】  使用時においてはベルトが外れにくく、且つ、ベルトの意図的な着脱を容易にし、しかも、ベルトを、束線を保持させたままの状態でクランプに対して着脱可能にする。    【解決手段】  クランプ２０の一端部２３と他端部２４とが、連結壁２１、２２で連結されている。連結壁２１の内側面２１ａと連結壁２２の内側面２２ａとは対向している。ベルト１１が係合固定されるための突設棒２６が、連結壁２１の内側面２１ａから連結壁２２の内側面２２ａの方向に向かって真っ直ぐ延設され、突設棒２６の先端部２６ａと内側面２２ａとの間に間隙Ｃ１が生じている。ベルト１１を側面視Ｖ字状に撓ませて間隙Ｃ１を通じて突設棒２６の先端部２６ａから突設棒２６の下方に通すことで、ベルト１１がクランプ２０に装着される。【選択図】      図１
2006064021.tif 000002
【特許請求の範囲】
【請求項１】
束線を保持するベルトが装着可能であると共に、相手取付体に取り付け可能なクランプであって、
基部と、
前記基部に対向する壁部と、
前記基部から前記壁部方向に延設され、前記ベルトと係合して前記ベルトを当該クランプに対して装着状態にする延設部とを有し、
前記延設部の先端部と前記壁部との間に、前記ベルトを前記延設部に係合させるための間隙が設けられたことを特徴とするクランプ。
【請求項２】
前記束線は前記ベルトに巻かれることで該ベルトに保持され、前記ベルトの部分うち前記束線を巻いている部分に近接した部分を係止するためのベルト係止部が設けられたことを特徴とする請求項１記載のクランプ。
【請求項３】
取り付け用係合部を有し、当該クランプは、前記相手取付体に対して前記取り付け用係合部を介して取り付け部材により取り付けられ、前記取り付け用係合部には、前記取り付け部材が前記相手取付体に対して取り外された状態で前記取り付け部材と該取り付け用係合部との係合を維持することで、当該クランプからの前記取り付け部材の脱落を防止する脱落防止機構部が設けられたことを特徴とする請求項１または２記載のクランプ。
【請求項４】
前記延設部の前記先端部のうち前記ベルトが係合する側の部分に、前記先端部にいくにつれて前記延設部が薄くなるようなテーパ面が形成されたことを特徴とする請求項１〜３のいずれか１項に記載のクランプ。
【発明の詳細な説明】
【技術分野】
【０００１】
本発明は、楽器本体等の相手取付体に、束線を固定状態にするためのクランプに関する。
【背景技術】
【０００２】
従来、楽器本体、自動車の車体、パネル、ビーム等の相手取付体に、配線等を束ねた束線をベルト等を介して固定するためのクランプが知られている。例えば、下記特許文献１では、クランプに一体に形成されたリング状のバンド取り付け部に、互いに係合する多数の係止部、係合部を両面に設けたベルト（バンド）を通し、このベルトで束線を巻いてベルトの両面を当接係合させることで貼り付け、束線がクランプに固定される。
【０００３】
ところで、例えば、電子楽器においては、スピーカ等のように、楽器本体とは別個に搬送して後で結線を行うのが都合がよい場合がある。その場合、同じ箇所に固定されるべき多数の線は、作業の効率上、何らかの形で束として事前にまとめておくのが好ましい。さらに、メンテナンス時等のように、束線を事後的に相手取付体から取り外したり、束線を組み直したりしたい場合もある。
【特許文献１】特開２００３−１３４６４８号公報
【発明の開示】
【発明が解決しようとする課題】
【０００４】
しかしながら、上記特許文献１では、ベルトをリング状のバンド取り付け部に装着するために、長いベルトをその端部からバンド取り付け部に通す作業が必要となり、取り外しの際にはそれとは逆の作業が必要となり、ベルト装着及び取り外し作業が煩雑であるという問題があった。
【０００５】
上記特許文献１ではまた、束線を相手取付体に固定する際、ベルトで束線を巻いた状態ではベルトをバンド取り付け部に装着することができないので、ベルトを先にバンド取り付け部に装着した後に束線にベルトを巻き付けることになる。その際、束線中の多数の線を予めテープ等で束ねておかない場合は、ベルトを束線に巻き付ける際に個々の線を１つにまとめなければならないので、作業が困難となる。一方、一旦固定された束線を相手取付体から外す際にも、ベルトの、貼り付いている両面を剥がして束線をベルトから解放することになるので、束線をテープ等で束ねていない場合は、束線中の各線がばらけてしまう。従って、事後の場合も含め、束線の着脱作業が容易でないという問題があった。
【０００６】
本発明は上記従来技術の問題を解決するためになされたものであり、その目的は、使用時においてはベルトが外れにくく、且つ、ベルトの意図的な着脱を容易にし、しかも、ベルトを、束線を保持させたままの状態でクランプに対して着脱可能にすることができるクランプを提供することにある。
【課題を解決するための手段】
【０００７】
上記目的を達成するために本発明の請求項１のクランプは、束線を保持するベルトが装着可能であると共に、相手取付体に取り付け可能なクランプであって、基部（２１）と、前記基部に対向する壁部（２２）と、前記基部から前記壁部方向に延設され、前記ベルトと係合して前記ベルトを当該クランプに対して装着状態にする延設部（２６）とを有し、前記延設部の先端部と前記壁部との間に、前記ベルトを前記延設部に係合させるための間隙（Ｃ１）が設けられたことを特徴とする。
【０００８】
この構成によれば、ベルトは、間隙を介して延設部の先端部から係合し得るので、延設部にベルトの端部から通すという作業が不要となり、ベルトを延設部に係合させやすく、また係合の解除もしやすい。しかも、ベルトを、束線を保持させたままの状態であっても、クランプに対して着脱することが可能である。また、基部に対向する壁部を有するので、使用時において装着状態にあるベルトが延設部の長手方向にずれても、ベルトは壁部と当接し、延設部から勝手に抜けることが回避される。よって、使用時においてはベルトが外れにくく、且つ、ベルトの意図的な着脱を容易にし、しかも、ベルトを、束線を保持させたままの状態でクランプに対して着脱可能にすることができる。
【０００９】
好ましくは、前記束線は前記ベルトに巻かれることで該ベルトに保持され、前記ベルトの部分うち前記束線を巻いている部分に近接した部分を係止するためのベルト係止部（２５）が設けられる（請求項２）。さらに好ましくは、取り付け用係合部（２７）を有し、当該クランプは、前記相手取付体に対して前記取り付け用係合部を介して取り付け部材（１３）により取り付けられ、前記取り付け用係合部には、前記取り付け部材が前記相手取付体に対して取り外された状態で前記取り付け部材と該取り付け用係合部との係合を維持することで、当該クランプからの前記取り付け部材の脱落を防止する脱落防止機構部（２８）が設けられる（請求項３）。ここで、例えば、取り付け部材は雄ねじ（１３）であり、取り付け用係合部は穴（２７）であり、脱落防止機構部は、前記取り付け用係合部内に形成され、前記取り付け部材のネジ山（２７ａ）と係合する爪部（２８）である。さらに好ましくは、前記延設部の前記先端部のうち前記ベルトが係合する側の部分に、前記先端部にいくにつれて前記延設部が薄くなるようなテーパ面（２６ｂ）が形成される（請求項４）。
【００１０】
なお、上記括弧内の符号は例示である。
【発明の効果】
【００１１】
本発明によれば、使用時においてはベルトが外れにくく、且つ、ベルトの意図的な着脱を容易にし、しかも、ベルトを、束線を保持させたままの状態でクランプに対して着脱可能にすることができる。
【発明を実施するための最良の形態】
【００１２】
以下、本発明の実施の形態を図面を参照して説明する。
【００１３】
（第１の実施の形態）
図１は、本発明の第１の実施の形態に係るクランプを含むクランプ構造を示す斜視図である。本実施の形態のクランプ２０は、束線１２を、相手取付体の一例である楽器本体１０に固定するために用いられる。束線１２は、電気配線（個々には図示せず）を多数束ねたものであり、各線がばらけないように外周をテープ等で巻いてまとめてあるか否かを問わない。束線１２は、帯状のベルト１１を介してクランプ２０に固定される。クランプ２０は、雄ねじ１３によって楽器本体１０に固定される。
【００１４】
図２（ａ）は、束線１２を楽器本体１０に対して固定した状態を示すクランプ構造の外観斜視図である。図２（ｂ）は、同状態におけるクランプ構造の側面図である。図３（ａ）は、クランプ２０の部分裏面図、図３（ｂ）は図１のＡ−Ａ線に沿う断面図である。図４（ａ）は、図１のＢ−Ｂ線に沿う断面図である。図４（ｂ）は、クランプ２０に対して保持状態とされた雄ねじ１３の断面図である。
【００１５】
図１に示すように、クランプ２０は、樹脂で平面視長方形に一体に形成され、長手方向における一端部２３にはネジ係合穴２７が貫通して設けられる。また、クランプ２０の他端部２４には、一対のベルト係止部２５（２５Ａ、２５Ｂ）が形成される。ベルト係止部２５Ａ、２５Ｂは、クランプ２０の上面２０ａにおいて、クランプ２０の幅方向両端部から上方に延びた後、互いに内側方向に屈曲し、鉤状を成して対向している（図３（ｂ）も参照）。クランプ２０の長手方向略中央部には、枠部Ｓ１が貫通して形成され、一端部２３と他端部２４とが、連結壁２１、２２で連結されている。連結壁２１からは、ベルト１１が係合固定されるための突設棒２６が突設されている。
【００１６】
図３（ｂ）に示すように、連結壁２１の内側面２１ａと連結壁２２の内側面２２ａとは対向しており、突設棒２６は、枠部Ｓ１（図１参照）内において、連結壁２１を基部として、連結壁２１の内側面２１ａから連結壁２２の内側面２２ａの方向に向かって真っ直ぐ延設されている。そして、突設棒２６の先端部２６ａと内側面２２ａとの間には、間隙Ｃ１が生じている。突設棒２６は枠部Ｓ１内に埋没しており、枠部Ｓ１の上下の開口より出っ張ってはいない。突設棒２６の先端部２６ａの上部は丸く形成され、一方、先端部２６ａの下部は先端部２６ａ方向にいくにつれて上方に傾斜するテーパ面２６ｂとなっている（図３（ａ）も参照）。
【００１７】
図３（ａ）、図４（ａ）に示すように、ネジ係合穴２７中には、「雄ねじ脱落防止機構部」としての３つの爪部２８が形成されている。各爪部２８は等間隔に配置されていずれも同様に構成される。図４（ａ）に示すように、各爪部２８は、クランプ２０の上部の基端部２８ｂから下方に垂下して設けられ、その下端部が、ネジ係合穴２７の外周方向に少し撓むことができるようになっている。各爪部２８の下端部には、ネジ係合穴２７の内周方向に少し屈曲した係止部２８ａが形成されている。
【００１８】
一方、雄ねじ１３は外周部にネジ山１３ａを有し（図１、図４（ｂ）参照）、ネジ係合穴２７を介して楽器本体１０に螺合されることで、クランプ２０を楽器本体１０に固定する。ここで、雄ねじ１３をネジ係合穴２７に回転させつつ挿入していくと、図４（ｂ）に示すように、３つの爪部２８の下端部が、各々、ネジ係合穴２７の外周方向に少し撓んだ状態で、雄ねじ１３のネジ山１３ａの一部分が各係止部２８ａに係合する。この状態で、雄ねじ１３を上方に引き抜こうとしても、ネジ山１３ａの爪部２８の下端より下方にある部分が爪部２８に引っかかって、雄ねじ１３は簡単には抜けない。従って、雄ねじ１３を楽器本体１０に螺合する際、事前にネジ係合穴２７内に雄ねじ１３を脱落させることなく保持しておくことができ、作業性が良好である。また、一旦螺合された雄ねじ１３を緩めて、楽器本体１０からの螺合を解いた直後においても、ネジ山１３ａと係止部２８ａとの係合により、雄ねじ１３はネジ係合穴２７から直ちには外れにくいことから、脱落が防止される。
【００１９】
図１、図２（ａ）、（ｂ）に示すように、ベルト１１はテープ状に形成され、ベルト１１の一端部は幅広部１１ａとなっており、幅広部１１ａを除く他端部１１ｂまでの領域はほぼ同じ幅に形成されている。なお、ベルト１１は、幅広部１１ａを設けることなく、全長に亘って一様の幅に形成してもよい。ベルト１１としては、マジックテープ（登録商標）等が採用され、ベルト１１の第１面１１ｃと第２面１１ｄには、不図示の係止及び被係止部が多数設けられ、両者が互いに係合して第１面１１ｃと第２面１１ｄとを貼着状態にすることができるようになっている。なお、ベルト１１は、両面を貼着状態にできることが好ましいが、それは必須ではなく、柔らかい材料で構成される各種の部材が採用可能である。
【００２０】
次に、本クランプ構造における固定作業の手順を説明する。本クランプ構造が適用される楽器の製造段階における通常の手順としては、まず、クランプ２０にベルト１１を装着し、その後、ベルト１１で束線１２の外周を巻いて、クランプ２０を楽器本体１０に固定する。すなわち、図１に示すように、ベルト１１（束線１２を巻いていないとする）を側面視Ｖ字状に撓ませ、Ｖ字の谷の部分を、間隙Ｃ１を通じて突設棒２６の先端部２６ａから突設棒２６の下方に通す。この作業は、長いベルト１１の一方の端部（他端部１１ｂ等）を、枠部Ｓ１内における突設棒２６の側部において下方に通して反端側の側部から上方に出すという作業に比し、容易である。
【００２１】
その後、図２（ｂ）、（ｃ）に示すように、束線１２の外周にベルト１１を１周巻いて、ベルト１１の第１面１１ｃと第２面１１ｄとを当接貼着することで、ベルト１１に束線１２を保持させる。さらに、ベルト１１の、他端部１１ｂ側であって束線１２を巻いている部分に近接した部分を、ベルト係止部２５Ａ、２５Ｂに係止する。ベルト係止部２５Ａ、２５Ｂによりベルト１１がめくれたり剥がれたりすることが回避され、ベルト１１による束線１２の保持状態が長期に亘って安定的に維持される。その後、雄ねじ１３をクランプ２０のネジ係合穴２７に通し、楽器本体１０に螺合することで、クランプ２０を楽器本体１０に螺着固定する。
【００２２】
このようにして、束線１２を楽器本体１０に対して固定状態にすることができる。図２（ａ）、（ｂ）に示す固定状態においては、ベルト１１は、突設棒２６と係合している部分が湾曲しているので、クランプ２０に対してベルト１１がその長手方向にずれることはほとんどない。それだけでなく、仮に、ベルト１１が突設棒２６の先端部２６ａから抜ける方向（突設棒２６の長手方向であって先端部２６ａ方向）に移動したとしても、連結壁２２の内側面２２ａ（図３（ｂ）参照）にベルト１１が当接するので、通常、ベルト１１が突設棒２６から勝手に抜けることがない。しかも、ベルト１１の第１面１１ｃと第２面１１ｄとが貼着状態にあること、及び、上記したベルト係止部２５Ａ、２５Ｂの作用によって、通常の使用態様においては、ベルト１１がクランプ２０から容易に外れることはない。
【００２３】
また、他の固定作業の手順として、先にベルト１１で束線１２の外周を巻いてから、クランプ２０にベルト１１を装着し、その後、クランプ２０を楽器本体１０に固定するようにしてもよい。すなわち、束線１２の外周をベルト１１で１周巻き、ベルト１１に束線１２を保持させた状態で、ベルト１１を少し撓ませるようにして、ベルト１１と束線１２との間に突設棒２６が挿通されるようにベルト１１をクランプ２０に装着する。その後の作業は上記と同様である。
【００２４】
これらのような手順によれば、クランプ２０を楽器本体１０に固定する前の段階で、束線１２中の各線をベルト１１によってひとまとめにしておけるので、各線をテープ等の別部材で束ねておく必要がなく、束線１２の扱いが簡単で、結線時にも煩雑さが少ない。例えば、スピーカ等を、楽器本体１０とは別個に搬送して後で結線を行う場合等に好都合である。
【００２５】
次に、一旦、図２（ａ）、（ｂ）に示すような固定状態とした後、メンテナンス等の必要により、その固定状態を解く手順を説明する。まず、雄ねじ１３の螺合を解いて、クランプ２０を楽器本体１０から取り外す。このとき、上述したように、雄ねじ１３がネジ係合穴２７の爪部２８に係合し、ネジ係合穴２７に保持されたままの状態が維持されるので、脱落、紛失が防止され、再度の固定作業の効率が向上する。その後、束線１２をクランプ２０から解放するには、束線１２を巻いているベルト１１を解放するか、または、束線１２を保持したままのベルト１１を束線１２ごとクランプ２０から取り外す。
【００２６】
束線１２を巻いているベルト１１を解放する場合は、依然としてベルト１１が突設棒２６に係合しているので、ベルト１１がクランプ２０から抜け落ちることがなく、再度の固定作業がやりやすく、また、束線１２のみを組み替えたい場合に好都合である。一方、ベルト１１を束線１２ごとクランプ２０から取り外す場合は、束線１２中の各線をテープ等で束ねておかなくてもばらけることがないので、再度の固定作業がやりやすい。
【００２７】
ところで、メンテナンス等を行う際において、上記のように、束線１２のみを解放したり、ベルト１１を束線１２ごと取り外したりすることは、クランプ２０を楽器本体１０に固定したままでも可能である。
【００２８】
本実施の形態によれば、ベルト１１は、間隙Ｃ１を介して突設棒２６の先端部２６ａから係合させることができるので、ベルト１１をクランプ２０に対して意図的に装着しやすく、また取り外しもしやすい。しかも、突設棒２６の先端部２６ａの上部は丸く、下部にはテーパ面２６ｂが設けられたので、ベルト１１の突設棒２６への係合、係合解除が一層円滑となり、ベルト１１のクランプ２０への着脱を一層容易にすることができる。その一方、ベルト１１は、突設棒２６の長手方向にずれても、連結壁２２の内側面２２ａに当接し、突設棒２６から勝手に抜けることがないので、ベルト１１が意に反してクランプ２０から外れることは生じにくい。また、ベルト係止部２５Ａ、２５Ｂによりベルト１１が係止されるので、ベルト１１の剥がれやめくれを防止して、ベルト１１による束線１２の保持状態を長期に亘って安定的に維持することができる。さらに、ベルト１１を、束線１２ごとクランプ２０に対して着脱することが可能であるので、束線１２をまとめるテープ等がなくても、束線１２のクランプ２０に対する着脱作業が容易であり、メンテナンス等の事後の作業も同様に容易である。
【００２９】
また、雄ねじ１３がネジ係合穴２７の爪部２８に係合して保持されるようにしたので、雄ねじ１３の脱落、紛失を防止して、クランプ２０の楽器本体１０に対する着脱の作業性を向上させることができる。しかも、爪部２８の係止部２８ａは、雄ねじ１３のネジ山１３ａと係合して雄ねじ１３を保持し、ネジ山１３ａは雄ねじ１３に必須の要素でもあることから、雄ねじ１３の構成が複雑化せず、また、一般的な雄ねじを採用可能である。
【００３０】
なお、楽器本体１０にクランプ２０を固定するための取り付け部材は、雄ねじ１３に限定されず、クリップ等であってもよい。特に、爪部２８に係合して脱落が防止されるようにする観点からは、ネジ山１３ａに相当する部分を有する取り付け部材であればよい。
【００３１】
（第２の実施の形態）
図５は、本発明の第２の実施の形態に係るクランプの斜視図である。本実施の形態のクランプ３０は、上記第１の実施の形態のクランプ２０に対して、枠部Ｓ２が枠部Ｓ１に比しクランプ３０の長手方向に長い点が異なり、枠部Ｓ２内の構成も枠部Ｓ１の構成と異なる。その他の部分の構成はクランプ２０と同様であるので、説明を省略し、異なる部分についてのみ説明する。
【００３２】
クランプ３０は、クランプ２０の連結壁２１、２２に相当する連結壁３１、３２を有し、さらに、枠部Ｓ２内に、突設棒２６に相当する２本の突設棒３６と、クランプ２０には設けられていない連結棒３９とを有する。連結棒３９は、連結壁３１と連結壁３２とを接続している。２本の突設棒３６は、クランプ３０の長手方向における連結棒３９の両側に設けられ、いずれも、連結壁３１から連結壁３２に向かって延設されている。突設棒３６の形状を含む構成は突設棒２６と全く同様であり、連結壁３２との間に、間隙Ｃ１と同様の間隙Ｃ２がそれぞれ生じている。
【００３３】
かかる構成において、ベルト１１をクランプ３０に装着する際には、ベルト１１を側面視Ｗ字状に撓ませ、Ｗ字の２つの谷の部分を、間隙Ｃ２を通じて２つの突設棒３６の下方に通す。これにより、ベルト１１は、両突設棒３６の下と連結棒３９の上を通り、これら両突設棒３６及び連結棒３９に係合する。従って、ベルト１１のいずれかの端部を連結棒３９の側部において下方に通して反端側の側部から上方に出すという作業は必要なく、この点で、第１の実施の形態と同様である。
【００３４】
本実施の形態によれば、第１の実施の形態に比し、ベルト１１のクランプ３０に対する脱着が多少はやりにくくなるが、ベルト１１の端部から通す、という作業に比べれば依然として容易であり、ベルト１１をクランプ３０に対して着脱容易にすることに関して、第１の実施の形態と同様の効果を奏することができる。また、突設棒３６が２本であり、これと連結棒３９とでベルト１１が保持されるので、ベルト１１のクランプ３０に対する装着状態が一層安定する。その結果、ベルト１１は、束線１２を解放した状態であっても、クランプ３０から一層抜け落ちにくくなる。
【００３５】
（第３の実施の形態）
図６は、本発明の第３の実施の形態に係るクランプの斜視図である。本実施の形態のクランプ４０は、薄い冷間圧延鋼鈑を板金加工して成形される。クランプ４０は、ネジ係合穴２７に対応する、雄ねじ１３が貫通可能な穴４９と、ベルト係止部２５Ａ、２５Ｂと同様の機能を果たすベルト係止部４５Ａ、４５Ｂとを有し、さらに、枠部Ｓ１に相当する枠部Ｓ３内に、突設棒２６に相当する突設片４６を有する。
【００３６】
クランプ４０は薄板で形成され、突設片４６が上下方向に反りやすいことから、突設片４６は、クランプ４０の長手方向に広い幅広形状として、剛性を高めている。また、突設片４６の先端部４６ａは、一層幅広となっている。ベルト１１は、第１の実施の形態と同様に、突設片４６に係合することでクランプ４０に装着される。しかし、本実施の形態では、ベルト１１の、突設片４６からの抜け防止は、突設片４６の幅広となっている先端部４６ａによってなされる。すなわち、上記したように、突設片４６が上下方向に撓んで、枠部Ｓ３から主に上方に露出する場合があり得ることから、その場合であっても、ベルト１１が先端部４６ａに当接してその移動が規制されることで、ベルト１１の抜けが防止される。
【００３７】
本実施の形態によれば、雄ねじ１３の脱落、紛失防止の効果を除き、第１の実施の形態と同様の効果を奏することができる。
【００３８】
（第４の実施の形態）
図７（ａ）は、本発明の第４の実施の形態に係るクランプの非締結状態を示す斜視図である。図７（ｂ）は、同クランプの締結状態を示す斜視図である。図８（ａ）は、同クランプの側面図、図８（ｂ）は、同図（ｂ）のＣ−Ｃ線に沿う断面図である。本実施の形態のクランプ５０は、上記第１の実施の形態におけるクランプ２０とベルト１１の機能を併せ持ち、従って、ベルト１１は使用されない。
【００３９】
クランプ５０は樹脂で一体に形成され、一端部５０ａ、胴部５０ｅ、他端部５０ｂを有して略帯状に形成される。一端部５０ａには、ネジ係合穴５７が貫通して設けられ、さらに、一端部５０ａにおける第１面５０ｃ側には、一対のベルト係止部５１（５１Ａ、５１Ｂ）が突出して設けられる。ベルト係止部５１Ａ、５１Ｂは、クランプ５０の幅方向両端部から延びた後、互いに内側方向に屈曲し、鉤状を成して対向している。ベルト係止部５１Ａ、５１Ｂの互いに対向する内側面には、波状部５２（５２Ａ、５２Ｂ）が形成されている。
【００４０】
胴部５０ｅにおける第１面５０ｃ側及び第２面５０ｄ（図７（ｂ）参照）側には、クランプ５０の幅方向に沿って、それぞれ突条部５４、５５が多数形成されている。クランプ５０を束線１２に合わせて丸める際には、突条部５４、５５が節となって、クランプ５０が束線１２を包み込む方向に曲がりやすくなっている。他端部５０ｂには、クランプ５０の長手方向に長い長穴５６が貫通して設けられる。他端部５０ｂにおける、クランプ５０の両側部には、ベルト係止部５１Ａ、５１Ｂの波状部５２Ａ、５２Ｂに対応する形状を有する対応波状部５３（５３Ａ、５３Ｂ）が形成されている。
【００４１】
図７（ａ）、（ｂ）に示すように、ネジ係合穴５７には、内径方向に向かって６枚の係止爪５８が延設されている。係止爪５８は、上記第１の実施の形態におけるクランプ２０のネジ係合穴２７の爪部２８と同様の機能を果たし、雄ねじ１３のネジ山１３ａの一部分と係合して、雄ねじ１３を脱落させることなく保持することができる。
【００４２】
図７（ａ）、図８（ｂ）に示すように、ベルト係止部５１Ａ、５１Ｂの波状部５２Ａ、５２Ｂはそれぞれ２つの山部５２Ａａ、５２Ｂａを有する。山部５２Ａａ、５２Ｂａには、テーパが設けられ、ベルト係止部５１Ａ、５１Ｂの先端方向にいくにつれてクランプ５０の幅方向内側に傾斜している。一方、図７（ａ）、図８（ａ）に示すように、対応波状部５３Ａ、５３Ｂは、山部５２Ａａ、５２Ｂａに嵌合的な形状をした各４つの谷部５３Ａａ、５３Ｂａを有する。
【００４３】
かかる構成において、図７（ｂ）に示すように、クランプ５０を、第１面５０ｃが内側となるように丸めて束線１２を巻き、一端部５０ａと他端部５０ｂとを当接させる。そして、ベルト係止部５１Ａ、５１Ｂに対応波状部５３Ａ、５３Ｂを係止する。このとき、対応波状部５３Ａ、５３Ｂの谷部５３Ａａ、５３Ｂａの各２つと波状部５２Ａ、５２Ｂの山部５２Ａａ、５２Ｂａとを嵌合させることで、一端部５０ａと他端部５０ｂとのクランプ５０の長手方向における位置関係が固定される。また、対応波状部５３Ａ、５３Ｂはベルト係止部５１Ａ、５１Ｂに係止されて簡単には外れないので、一端部５０ａと他端部５０ｂとが安定的な仮当接状態となる。
【００４４】
ここで、谷部５３Ａａ、５３Ｂａは各４つ、山部５２Ａａ、５２Ｂａは各２つであるとしたので、各４つの谷部５３Ａａ、５３Ｂａのうち、隣接する２つを各２つの山部５２Ａａ、５２Ｂａに嵌合させる。従って、一端部５０ａと他端部５０ｂとの位置関係は、３段階で調節可能となっている。しかも、いずれの位置においても、ネジ係合穴５７が長穴５６の範囲に位置するようになっており、ネジ係合穴５７を介して雄ねじ１３を楽器本体１０に螺合することに関して不都合はない。
【００４５】
本実施の形態によれば、クランプ５０からの雄ねじ１３の脱落、紛失を防止することに関し、第１の実施の形態と同様の効果を奏することができる。また、対応波状部５３Ａ、５３Ｂがベルト係止部５１Ａ、５１Ｂに係止されて、仮固定状態となることから、クランプ５０が容易に開いてしまうことがないので、保持している束線１２がクランプ５０から外れにくい。これに加えてクランプ５０に雄ねじ１３が保持された状態では、クランプ５０は一層開きにくくなる。そのため、クランプ５０に、束線１２を事前に固定しておき、後でクランプ５０を楽器本体１０に螺着するようにする場合、束線１２の各線をテープ等で束ねておかなくてもよく、作業が容易である。
【００４６】
本実施の形態によればまた、クランプ５０の束線１２を保持する部分の内径を３段階で調節可能であるので、複数種類の束線１２を固定するのにクランプ５０を共用化することができる。また、クランプ５０はベルト機能を兼ねるので、ベルトが不要であり、構成が簡単である。
【００４７】
なお、本実施の形態において、ネジ係合穴５７に代えて上記第１の実施の形態のクランプ２０のネジ係合穴２７を採用してもよいし、逆に、ネジ係合穴５７を上記第１の実施の形態のクランプ２０に採用してもよい。
【００４８】
なお、波状部５２Ａ、５２Ｂと対応波状部５３Ａ、５３Ｂとで実現される調整段階は３段階に限定されず、より多くの段階で調節可能としてもよい。
【図面の簡単な説明】
【００４９】
【図１】本発明の第１の実施の形態に係るクランプを含むクランプ構造を示す斜視図である。
【図２】束線を楽器本体に対して固定した状態を示すクランプ構造の外観斜視図（図（ａ））、及び側面図（図（ｂ））である。
【図３】クランプの部分裏面図（図（ａ））、及び図１のＡ−Ａ線に沿う断面図（図（ｂ））である。
【図４】図１のＢ−Ｂ線に沿う断面図（図（ａ））、及びクランプに対して保持状態とされた雄ねじの断面図（図（ｂ））である。
【図５】本発明の第２の実施の形態に係るクランプの斜視図である。
【図６】本発明の第３の実施の形態に係るクランプの斜視図である。
【図７】本発明の第４の実施の形態に係るクランプの非締結状態を示す斜視図（図（ａ））、及び同クランプの締結状態を示す斜視図（図（ｂ））である。
【図８】同クランプの側面図（図（ａ））、及び同図（ｂ）のＣ−Ｃ線に沿う断面図（図（ｂ））である。
【符号の説明】
【００５０】
１０  楽器本体（相手取付体）、  １１  ベルト、  １２  束線、  １３  雄ねじ（取り付け部材）、  ２０  クランプ、  ２１  連結壁（基部）、  ２２  連結壁（壁部）、  ２５Ａ、２５Ｂ  ベルト係止部、  ２６  突設棒（延設部）、  ２６ａ  先端部、  ２６ｂ  テーパ面、  ２７  ネジ係合穴（取り付け用係合部）、  ２８  爪部（脱落防止機構部）、  Ｃ１  間隙
【図１】
2006064021.tif 000003
【図２】
2006064021.tif 000004
【図３】
2006064021.tif 000005
【図４】
2006064021.tif 000006
【図５】
2006064021.tif 000007
【図６】
2006064021.tif 000008
【図７】
2006064021.tif 000009
【図８】
2006064021.tif 000010